【手続補正書】
【提出日】平成23年7月13日(2011.7.13)
【手続補正１】
【補正対象書類名】明細書
【補正対象項目名】００１８
【補正方法】変更
【補正の内容】
【００１８】
図６の（ｅ）において、さらに、前フラップ回転軸１０２を前フラップ１００が前ストッパー１６０から離れる方向（時計回り）に所定の角度Ａ４だけ回転させて、ファンケーシング６０内に停止させる（図５のＳ４）。
このとき、前フラップ１００は、ケーシング前部材６１とケーシング後部材６２との略中間にあって、前フラップ表面１００ａが下方を向き、下フラップよりも水平方向に近い角度だけ傾斜した姿勢に固定されている。
すなわち、下フラップ２００と前フラップ１００とは、端縁同士の間に隙間があるものの、両者は略同一曲面（正確には、僅かに屈曲した屈曲面）を形成するように段差なく滑らかに配置されている。したがって、下フラップ表面２００ａに沿って流れた空気は、引き続き前フラップ裏面１００ｂに沿って流れ、下フラップ裏面２００ｂに沿って流れた空気は、引き続き前フラップ表面１００ａに沿って流れる。
【手続補正２】
【補正対象書類名】明細書
【補正対象項目名】００２７
【補正方法】変更
【補正の内容】
【００２７】
このとき、前フラップ１００は、下フラップ２００よりも大きく傾斜し（より鉛直に近い姿勢に同じ）、前フラップ表面１００ａが下方を向いている。したがって、前フラップ表面１００ａと下フラップ裏面２００ｂとによって、風流れの下流になる程狭くなる風路が形成されている。
よって、室内機１から下方に向けて勢い良く加熱された空気が吹き出される。暖気が天井側に籠もることもなく、室内を温度ムラなく暖房することができる。
なお、下フラップ２００の角度Ｂ２、Ｂ４の値は限定するものではなく、使用者によって適宜設定されたり、所定の時間サイクルで変動したりしてもよい。また、暖房運転中、下フラップ２００が下ストッパー２６０に当接したまま、すなわち「Ｂ２＝０°」、あるいは、前フラップ１００が前ストッパー１６０に当接したまま、すなわち「Ｂ４＝０°」であってもよい。
なお、前記各ステップの順番が限定されないことや、下フラップ２００あるいは前フラップ１００をそれぞれ下ストッパー２６０および前ストッパー１６０に当接させるステップを省略してもよいことは、冷房運転開始時の動作に同じである。
【手続補正３】
【補正対象書類名】特許請求の範囲
【補正対象項目名】全文
【補正方法】変更
【補正の内容】
【特許請求の範囲】
【請求項１】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップを傾動する前傾動手段と、
前記下フラップを傾動する下傾動手段と、
前記前フラップと前記下フラップとが、前記吹出風路内において所定の間隔を空けて滑らかに繋がる面を形成する姿勢に停止するように、前記前傾動手段および前記下傾動手段を制御する制御手段と、
を有することを特徴とする空気調和機の室内機。
【請求項２】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップが前記ファンケーシングの内側に向かって傾動した際の傾動範囲を規定する前ストッパーと、
前記下フラップが前記ファンケーシングの外側に向かって傾動した際の傾動範囲を規定する下ストッパーと、
前記前フラップを傾動する前傾動手段と、
前記下フラップを傾動する下傾動手段と、
前記前傾動手段および前記下傾動手段を制御する制御手段と、を有し、
前記制御手段が、運転停止時に、前記前フラップを前記前面と平行の姿勢にし、且つ、前記下フラップを前記下面と平行の姿勢にし、
冷房運転開始時に、前記下フラップを前記下ストッパーに当接する方向に傾動させて前記下ストッパーに当接させる第１ステップと、
該第１ステップに続いて、前記下フラップを前記下ストッパーから離れる方向に傾動させて、前記吹出風路内に停止させる第２ステップと、
該第２ステップに続いて、前記前フラップを前記前ストッパーに当接する方向に傾動させて前記前ストッパーに当接させる第３ステップと、
該第３ステップに続いて、前記前フラップを前記前ストッパーから離れる方向に傾動させて、前記下フラップに対して所定の間隔を空けて滑らかに繋がる面を形成する姿勢に停止させる第４ステップと、を実行させることを特徴とする空気調和機の室内機。
【請求項３】
運転停止時に前記前フラップの前記吹出風路側に位置する前フラップ裏面に、前フラップアームが固定され、該前フラップアームの先端に該前フラップアームを回転自在に支持する前フラップ回転軸が設けられ、
運転停止時に前記下フラップの前記吹出風路側に位置する下フラップ裏面に、下フラップアームが固定され、該下フラップアームの先端に該下フラップアームを回転自在に支持する下フラップ回転軸が設けられ、
前記第４ステップにおいて、前記前フラップ裏面は上方を向き、前記下フラップ裏面が下方を向いていることを特徴とする請求項２記載の空気調和機の室内機。
【請求項４】
前記制御手段が冷房運転終了時に、前記前フラップを前記前ストッパーに当接する方向に傾動させて前記前ストッパーに当接させる第５ステップと、
該第５ステップに続いて、前記前フラップを前記前ストッパーから離れる方向に傾動させて、前記前面と平行になる姿勢に停止させる第６ステップと、
該第６ステップに続いて、前記下フラップを前記下ストッパーに当接する方向に傾動させて前記下ストッパーに当接させる第７ステップと、
該第７ステップに続いて、前記下フラップを前記下ストッパーから離れる方向に傾動させて、前記下フラップを前記下面と平行の姿勢に停止させる第８ステップと、を実行させることを特徴とする請求項２または３記載の空気調和機の室内機。
【請求項５】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップを傾動する前傾動手段と、
前記下フラップを傾動する下傾動手段と、
前記下フラップが前記吹出口を横切る姿勢に停止し、前記前フラップが前記下フラップに対向して、風流れの下流になる程近づく姿勢に停止するように、前記前傾動手段および前記下傾動手段を制御する制御手段と、
を有することを特徴とする空気調和機の室内機。
【請求項６】
送風手段および熱交換手段が収納された函体であって、該函体の前面の下面寄りの範囲および下面の前面寄りの範囲に吹出口が形成された本体と、
前記吹出口の前面側に傾動自在に配置された前フラップと、
前記吹出口の下面側に傾動自在に配置された下フラップと、
前記送風手段から前記吹出口に至る吹出風路を形成するファンケーシングと、
前記前フラップが前記ファンケーシングの内側に向かって傾動した際の傾動範囲を規定する前ストッパーと、
前記下フラップが前記ファンケーシングの外側に向かって傾動した際の傾動範囲を規定する下ストッパーと、
前記前フラップを傾動する前傾動手段と、
前記下フラップを傾動する下傾動手段と、
前記前傾動手段および前記下傾動手段を制御する制御手段と、を有し、
前記制御手段が、運転停止時に、前記前フラップを前記前面と平行の姿勢にし、且つ、前記下フラップを前記下面と平行の姿勢にし、
暖房運転開始時に、前記下フラップを前記下ストッパーに当接する方向に傾動させて前記下ストッパーに当接させる第１ステップと、
該第１ステップに続いて、前記下フラップを前記下ストッパーから離れる方向に傾動させて、前記吹出口を横切る姿勢に停止させる第２ステップと、
該第２ステップに続いて、前記前フラップを前記前ストッパーに当接する方向に傾動させて前記前ストッパーに当接させる第３ステップと、
該第３ステップに続いて、前記前フラップを前記前ストッパーから離れる方向に傾動させて、前記下フラップに対向して、風流れの下流になる程近づく姿勢に停止させる第４ステップと、を実行させることを特徴とする空気調和機の室内機。
【請求項７】
運転停止時に前記前フラップの前記吹出風路側に位置する前フラップ裏面に、前フラップアームが固定され、該前フラップアームの先端に該前フラップアームを回転自在に支持する前フラップ回転軸が設けられ、
運転停止時に前記下フラップの前記吹出風路側に位置する下フラップ裏面に、下フラップアームが固定され、該下フラップアームの先端に該下フラップアームを回転自在に支持する下フラップ回転軸が設けられ、
前記第４ステップにおいて、前記前フラップ裏面は前面側の斜め上方を向き、前記下フラップ裏面が上方を向いていることを特徴とする請求項６記載の空気調和機の室内機。
【請求項８】
前記制御手段が暖房運転終了時に、前記前フラップを前記前ストッパーに当接する方向に傾動させて前記前ストッパーに当接させる第５ステップと、
該第５ステップに続いて、前記前フラップを前記前ストッパーから離れる方向に傾動させて、前記前面と平行になる姿勢に停止させる第６ステップと、
該第６ステップに続いて、前記下フラップを前記下ストッパーに当接する方向に傾動させて前記下ストッパーに当接させる第７ステップと、
該第７ステップに続いて、前記下フラップを前記下ストッパーから離れる方向に傾動させて、前記下フラップを前記下面と平行の姿勢に停止させる第８ステップと、を実行させることを特徴とする請求項６または７記載の空気調和機の室内機。
【手続補正４】
【補正対象書類名】図面
【補正対象項目名】図５
【補正方法】変更
【補正の内容】
【図５】
2010281550.tif 000001
【手続補正５】
【補正対象書類名】図面
【補正対象項目名】図８
【補正方法】変更
【補正の内容】
【図８】
2010281550.tif 000002